(57)【要約】      （修正有）【課題】ファンモータをファンモータ取付板に懸架する際の作業性の向上と、重たいファンならびにファンモータ支持する強度を備えたファンモータ取付板を提供すること。【解決手段】ファンと、前記ファンを駆動させるファンモータと、前記ファンモータを支持するファンモータ取付板５によって形成された送風装置を有する空気調和機の室外ユニットにおいて、前記ファンモータ取付板５には、前記ファンモータを支持するための支持部がその左右から風下側に向けて延出された凸部１１ｂを有して形成され、前記ファンモータの中心よりも下側の前記凸部１１ｂには、風下側に向けたリブ１１ｃを具備する。【選択図】図４
2018054203.tif 000002
【特許請求の範囲】
【請求項１】
ファンと、前記ファンを駆動させるファンモータと、前記ファンモータを支持するファンモータ取付板によって形成された送風装置を有する空気調和機の室外ユニットにおいて、前記ファンモータ取付板には、前記ファンモータを支持するための支持部がその左右から風下側に向けて延出された凸部を有して形成され、前記ファンモータの中心よりも下側の前記凸部には、風下側に向けたリブが具備されたことを特徴とする空気調和機の室外ユニット。
【請求項２】
前記リブは、前記室外ユニットの正面視で逆ハの字型としたことを特徴とする請求項１記載の空気調和機の室外ユニット。
【請求項３】
前記リブは、前記モータ支持部の一部を、その外側から内側に向け且つ下側から上側に向け折り曲げて作られたことを特徴とする請求項１または２記載の空気調和機の室外ユニット。
【請求項４】
前記リブは、１０ｍｍ以上の長さを有することを特徴とする請求項１〜３のいずれか１項に記載の空気調和機の室外ユニット。
【請求項５】
前記リブは、５ｍｍ以上１５ｍｍ以下の幅を有することを特徴とすることを特徴とする請求項１〜４のいずれか１項に記載の空気調和機の室外ユニット。
【発明の詳細な説明】
【技術分野】
【０００１】
本発明は、空気調和機に用いるファンモータ取付板及びこれを備えた空気調和機の室外ユニットに関するものである。
【背景技術】
【０００２】
空気調和機の室外ユニットは、室外ユニット本体底面に配置された底板上に、熱交換器や圧縮機、送風装置などが載置されている。そして、前記送風装置によって、熱交換器で熱交換された空気を前記室内ユニットの前方へ送り出すようになっている。
【０００３】
当該送風装置は、送風ファン、送風ファンを回転駆動させるファンモータ、ファンモータを固定するファンモータ取付板等によって構成されている。
【０００４】
従来、この種のファンモータ取付板は、鉛直方向に伸びる少なくとも左右一対の支柱部材に、送風装置の取付部材を取り付けた構成となっているものがあった（例えば、特許文献１参照）。
【０００５】
また、空気の流れを考えて、ファンモータ取付板のファンモータ取付面に空気流を導入するための複数の開口が形成されたものも提案されている（例えば、特許文献２参照）。
【０００６】
さらには、上下から出された支持部にファンモータを固定し、ファンモータの下側にはハの字型のリブが設けられたファンモータ取付板も実用化されている（例えば、図１および図２参照）。
【先行技術文献】
【特許文献】
【０００７】
【特許文献１】特開２００６−２２６６４４号公報
【特許文献２】特開２００３−７４９０８号公報
【発明の概要】
【発明が解決しようとする課題】
【０００８】
しかしながら、特許文献１ならびに特許文献２に記載の従来の構成では、サービス性がよくないという課題を有した。つまり、ファンモータ取付板からファンモータを外した際に、ファンモータのリード線が電装ボックスに接続されたままの状態であると、ファンモータを手で保持しておく必要があった。
【０００９】
また、ファンモータ取付板へのファンモータの固定は、複数のネジ等で締結固定されているので、当該複数のネジ等を締結する際に、ファンモータを手で支えつつ作業を行うのが困難であった。
【００１０】
さらに、図１０および図１１に示した従来の構成では、ファンモータを上下で支持しているために上下方向に変形しやすく、重たいファンを支持するのが困難だという課題を有した。
【課題を解決するための手段】
【００１１】
前記従来の課題を解決するために、本発明は、ファンと、前記ファンを駆動させるファンモータと、前記ファンモータを支持するファンモータ取付板によって形成された送風装置を有する空気調和機の室外ユニットにおいて、前記ファンモータ取付板には、前記ファ
ンモータを支持するための支持部がその左右から風下側に向けて延出された凸部を有して形成され、前記ファンモータの中心よりも下側の前記凸部には、風下側に向けたリブが具備されることにより、ファンモータ固定板の上下方向の強度を確保しつつ、ファンモータを外す際のサービス性も確保することができる。
【発明の効果】
【００１２】
上記のように、本発明の空気調和機の室外ユニットは、ファンモータをその左右で支持した上で、ファンモータの中心よりも下側にリブを設けることにより、ファンモータ固定板の強度とサービス性を確保することができる。
【図面の簡単な説明】
【００１３】
【図１】空気調和機室外ユニットの斜視図
【図２】空気調和機室外ユニットの内部構造図
【図３】本発明のファンモータ取付板の斜視図
【図４】本発明のファンモータ取付板の正面図および側面図
【図５】本発明のファンモータ取付板にファンモータを取り付けたときの斜視図
【図６】本発明のファンモータ取付板にファンモータを取り付けたときの正面図および側面図
【図７】ファンモータを仮置き時の様子を表す図
【図８】リブ展開図
【図９】別のファンモータを仮置きした時の様子を表す図
【図１０】従来のファンモータ取付板の斜視図
【図１１】従来のファンモータ取付板の正面図および側面図
【発明を実施するための形態】
【００１４】
第１の発明は、ファンと、前記ファンを駆動させるファンモータと、前記ファンモータを支持するファンモータ取付板によって形成された送風装置を有する空気調和機の室外ユニットにおいて、前記ファンモータ取付板には、前記ファンモータを支持するための支持部がその左右から風下側に向けて延出された凸部を有して形成され、前記ファンモータの中心よりも下側の前記凸部には、風下側に向けたリブが具備されることにより、ファンモータ固定板の上下方向の強度が確保でき、ファンモータを外した際にそのリブに仮置きできるため、サービス性も確保することができる。
【００１５】
第２の発明は、第１の発明において、リブが、前記室外ユニットの正面視で逆ハの字型としたことにより、特定の形状のファンモータではなく、様々な形状のファンモータに対応できる。
【００１６】
第３の発明は、特に第１または第２の発明において、リブが、前記モータ支持部の一部を、その外側から内側に向け且つ下側から上側に向け折り曲げて作られることにより、追加部品が必要ないだけでなく、ファンモータ取付板の幅を大きくすることなく、リブを設けることができる。
【００１７】
第４の発明は、特に第１〜第３の発明において、リブが１０ｍｍ以上の長さを有することにより、仮置きしたファンモータを確実に保持できる。
【００１８】
第５の発明は、特に第１〜第４の発明において、リブが５ｍｍ以上１５ｍｍ以下の幅を有することにより、リブの強度を確保しつつ、様々な形状のファンモータに対応することができる。
【００１９】
以下、本発明の各実施の形態を図１〜１１に基づいて説明する。なお、本実施の形態に
限るものではない。
【００２０】
（実施の形態１）
図１は空気調和機室外ユニットの斜視図を、図２はその内部を示す。
【００２１】
図２に示されるように、室外ユニット本体２の内部は、仕切板３によって送風室と機械室とに区分され、送風室にはファン４、ファンモータ（ファン４の奥に位置）、ファンモータ取付板５とによって形成された送風装置や、熱交換器６等が載置され、機械室には圧縮機７や冷媒配管（図示せず）等の冷凍サイクル部品が収納され、その底面には、底板８が存在する。
【００２２】
また、底板８は、脚９によって支持された状態となっている。さらに、圧縮機７の振動を吸収するため、圧縮機７と底板８の間には防振ゴム１０が少なくとも１つ挟まれている。
【００２３】
以下、本発明のファンモータ取付板について説明する。
【００２４】
図３はファンモータ取付板の斜視図を、図４はその正面図および側面図を示す。ファンモータ取付板５の中央付近には、ファンモータを支持するための支持部１１があり、該支持部１１はファンモータ取付板の左右から風下側に向けて出された凸部１１ｂを有する。
【００２５】
凸部１１ｂは上下に二対、計４箇あり、凸部１１ｂにはファンモータをネジ止めするためのファンモータネジ止め部１１ａがそれぞれ１箇所ずつ、計４箇所ある。
【００２６】
また、下の凸部１１ｂの下方には、凸部１１ｂの一部を延出したリブ１１ｃを設け、その外側から内側に向け、さらに下側から上側に向け折り曲げることによって、風下側に向いた逆ハの字型のリブ１１ｃ（両図の点線で囲われた部分）が形成される。
【００２７】
従来、図１０に示すような、上下から出された凸部によって形成されたファンモータ支持部を有するファンモータ取付板１０１が存在するものの、凸部を上下で形成しているため、上下方向に変形しやすいという課題があった。とりわけ、送風性能を向上させるためにファン４が大型化し、ファン４の重量が大きくなる傾向にある昨今においては、その上下方向の強度面で課題を有していた。しかしながら、本発明のように凸部を左右から形成することにより、上下方向の強度が強くなるため、ファン４の重量が大きくなった場合でもファンモータ取付板５が変形することなくファン４を確実に支持することが可能となる。
【００２８】
次に、リブの働きを説明する。
【００２９】
図５は、ファンモータ取付板５にファンモータ１２を取り付けたときの斜視図を、図８はその正面図および側面図を示す。ただし、ここでは取り付けるためのネジは省略してある。先に述べたように、ファンモータ１２は、左右２箇所ずつの計４箇所にネジ止めされることにより、ファンモータ取付板５に固定されている。
【００３０】
ここで、サービス対応時等にファンモータ１２を取り外す場合について述べる。
【００３１】
ファンモータ１２は、ファンモータに電流や電気信号を流すリード線（図示せず）によって、室外ユニット本体２の内部に存在する制御基板（図示せず）につながれている。一般的に制御基板はその内部に水が入り込まないように、室外ユニット本体２の内部の上部に配置されていることが多く、さらにコストの観点からリード線は必要最小限の長さとな
っていることが多い。このため、ファンモータ１２をファンモータ取付板５から取り外した場合、ファンモータ１２をどこかに何らかの方法で固定するなり、あるいはどこかに置いておくなりしないと、ファンモータ１２がリード線によってぶら下げられることになり、リード線にテンションがかかって断線等の不具合を生じてしまう。しかしながら、図３および図４の点線で囲われたリブがあることにより、図７のように、ファンモータをそのリブの上に仮置きできるため、リード線にテンションがかかるのを防止することができる。
【００３２】
さらに、リブを逆ハの字型とすることにより、特定の形状のファンモータではなく、様々な形状のファンモータに対応可能となる。ファンモータのネジ止め面の形状はメーカーによって異なるものの、ネジ止め箇所が同じであれば、材料を少しでも抑えるためにそのネジ止め面の最外径はほぼ同じになる。そのため、リブを逆ハの字として、その最外径部分を保持する構成とすることにより、様々な形状のファンモータに対応できることになるのである。さらに、リブをファンモータ支持部の一部を折り曲げただけの構成とすることで、追加部品が必要なく、簡単な構成でリブを成形できるだけでなく、その折り曲げを、外側から内側に向かって、さらに下側から上側に向かわせることにより、ファンモータ取付板５の左右方向の幅が大きくなるのを抑えることができる。つまり、図８の二点鎖線はリブの展開位置を示しているが、このようにリブを、その外側下方より折り曲げることにより、ファンモータ取付板５の幅（図４のＡの長さ）にはほとんど影響が出ず、中央部の空洞部の高さ（図４のＢの長さ）の大小によってリブの大小に対応することができるのである。
【００３３】
なお、ファンモータ１２のネジ止め面の厚みは１０ｍｍ程度であることが多く、ファンモータ１２を落とすことなく確実に置くためには、リブの長さＬはその厚み以上となる１０ｍｍ以上とするのが好ましい。さらには、ファンモータが図７のようにそのネジ止め面の最外径に凹凸が形成されている場合もあるため、その凹凸形状が異なった場合でも対応できるように、幅Ｗは小さい方が好ましい。つまり、仮に図９のような形状のファンモータを搭載した場合であっても、リブが細ければ対応が可能となる。しかしながら幅Ｗを小さくしすぎると強度が弱くなるという課題も有する。そのため、強度と保持力を考慮に入れると。この幅Ｗは５ｍｍ≦Ｗ≦１０ｍｍとするのが理想的である。
【００３４】
なお、本発明は、上記実施の形態に限定されるものではなく、本発明の範囲内で形状を修正・変更できることは言うまでもない。また、ファンモータ取付板５の材質によらないことも言うまでもない。
【産業上の利用可能性】
【００３５】
以上のように、本発明にかかる空気調和機の室外ユニットのファンモータ取付板は、サービスがしやすくなるため、給湯器や除湿機や、空気清浄機など、ファンモータおよびファンモータ取付板を用いた他の機器にも適用できる。
【符号の説明】
【００３６】
２    室外ユニット本体
３    仕切板
４    ファン
５    ファンモータ取付板
６    熱交換器
７    圧縮機
８    底板
９    脚
１０  防振ゴム
１１  支持部
１１ａ  ファンモータネジ止め部
１１ｂ  凸部
１１ｃ  リブ
１２  ファンモータ
１０１    従来のファンモータ取付板
【図１】
2018054203.tif 000003
【図２】
2018054203.tif 000004
【図３】
2018054203.tif 000005
【図４】
2018054203.tif 000006
【図５】
2018054203.tif 000007
【図６】
2018054203.tif 000008
【図７】
2018054203.tif 000009
【図８】
2018054203.tif 000010
【図９】
2018054203.tif 000011
【図１０】
2018054203.tif 000012
【図１１】
2018054203.tif 000013